(57)【要約】【課題】本来のアンテナの役目を果たしながら、アンテナを利用して携帯電話機の転倒を防止して最適な角度でＴＶ視聴を行えるようにする。【解決手段】第１の筐体３の外面に矩形状の表示部２を設け、第２の筐体５にアンテナ１１を収納自在に設ける。アンテナ１１において、第１棒状部材１２と第２棒状部材１３及び第２棒状部材１３と第３棒状部材１４をそれぞれ折り曲げ自在に連結する。この第１棒状部材１２を第２の筐体５に連結する。アンテナ１１を折り曲げることで、表示部２が左右に長くなるように表面に現れた状態で、携帯電話機１（携帯端末）を平坦面３０に載置する。【選択図】図１
2008236207.tif 000002
【特許請求の範囲】
【請求項１】
筐体本体と、該筐体本体の外面に設けられた矩形状の表示部と、該筐体本体に収納自在に設けられたアンテナとを備えた携帯端末であって、
上記アンテナは、第１棒状部材と第２棒状部材及び第２棒状部材と第３棒状部材がそれぞれ折り曲げ自在に連結されると共に、該第１棒状部材が上記筐体本体に連結され、
上記アンテナを折り曲げることで、上記表示部が左右に長くなるように表面に現れた状態で、該アンテナに支持されて平坦面に載置可能に構成されている
ことを特徴とする携帯端末。
【請求項２】
請求項１に記載の携帯端末において、
上記第３棒状部材が第２棒状部材に対して折れ曲がる方向は、上記第２棒状部材が第１棒状部材に対して折れ曲がる方向と該第２棒状部材の周方向に９０度ずれている
ことを特徴とする携帯端末。
【請求項３】
請求項１又は２に記載の携帯端末において、
上記アンテナは、上記筐体本体の角部に連結され、
上記第２棒状部材が、上記第１棒状部材に対して上記筐体本体の裏面側に折り曲げられ、かつ上記第３連結部材が上記第２棒状部材に対して上下方向に伸びるように折り曲げられることで、上記表示部が左右に長くなるように表面に現れた状態で、該アンテナが筐体本体を支持するように構成されている
ことを特徴とする携帯端末。
【請求項４】
請求項３に記載の携帯端末において、
上記筐体本体の角部には、上記アンテナが収納可能なアンテナ収納凹部が該筐体本体の長手方向へ凹陥して形成され、該アンテナ収納凹部の底部には、該アンテナが上記表示部の長手方向へ押し込まれて収納される収納孔が形成され、
上記アンテナを上記収納孔から上記表示部の長手方向へ引き出したときに、該アンテナの第３棒状部材が筐体本体よりも外側に現れ、第１及び第２棒状部材は、上記アンテナ収納凹部に収納されるように構成されている
ことを特徴とする携帯端末。
【請求項５】
請求項４に記載の携帯端末において、
上記第１棒状部材は、上記筐体本体に対して周方向に自転可能に連結されている
ことを特徴とする携帯端末。
【請求項６】
請求項５に記載の携帯端末において、
上記第２棒状部材を上記第１棒状部材に対して９０度折り曲げたときに、該第１棒状部材が上記筐体本体に対して周方向に自転するのを規制する自転規制手段が設けられている
ことを特徴とする携帯端末。
【請求項７】
請求項６に記載の携帯端末において、
上記自転規制手段は、上記筐体本体の裏面上を上記表示部の幅方向にスライド自在で、かつその位置を保持可能なスライド部材である
ことを特徴とする携帯端末。
【請求項８】
請求項２乃至７のいずれか１つに記載の携帯端末において、
上記第３棒状部材の内部には、アンテナ先端部が伸縮自在に収納されている
ことを特徴とする携帯端末。
【請求項９】
請求項１乃至８のいずれか１つに記載の携帯端末において、
上記筐体本体は、
上記表示部を有する第１の筺体と、
操作部を有する第２の筺体とからなり、
上記第１の筺体と第２の筺体とを折畳み自在に連結する第１の回転軸と、
上記第１の回転軸と直交し、第１の筐体を表裏反転可能に支持する第２の回転軸とを備え、
上記アンテナは、上記第２の筐体に設けられている
ことを特徴とする携帯端末。
【請求項１０】
携帯電話機である
ことを特徴とする請求項１乃至９のいずれか１つに記載の携帯端末。
【発明の詳細な説明】
【技術分野】
【０００１】
表示部及びアンテナを有する携帯端末、特に携帯電話機等のＴＶ受信機能付き携帯端末に関する。
【背景技術】
【０００２】
従来の携帯電話機は、通話機能、メール送受信機能、カメラ撮影機能等が標準装備され、更に、昨今では、ＴＶ受信機能の搭載が一般的となってきている。このＴＶ受信機能を備えた携帯電話機でのＴＶ視聴時には、表示部上に画面を横長で大きく表示し、手放しで視聴できることが望ましい。なお、通常、携帯電話機の表示は、携帯電話機を縦長状態に手で持ったときに、縦長になるような矩形状となっている。
【０００３】
例えば、特許文献１は、使用時に、本体が略直角以上に開かれた状態で自立の姿勢を安定させる携帯電話機が開示されている。この本体は、基台側を形成する基台側筐体と、蓋側を形成する蓋側筐体とからなり、互いの一端がヒンジで連結され折畳み可能になっている。基台側筐体にはヒンジ部側から突出入可能な棒状のアンテナが備えられ、このアンテナを収納する半円筒状のアンテナケース部が、基台側筐体の背面に形成されている。使用時には、本体が略直角以上に開かれた状態で、アンテナケース部が基面に接して支持され、アンテナを突出させることにより、本体がその突出方向に転倒するのを防止している。
【０００４】
また、特許文献２には、撮影者自身と背景を入れた撮影を行う場合、他の構造物を使用せずに自立保持させる、写真撮影機能を有する一体型携帯電話無線機が開示されている。この携帯電話無線機では、無線機本体に内蔵される電池パックを覆って保護するための電池カバーに自立維持機能を併せて持たせている。
【特許文献１】特開２００３−８７１６号公報
【特許文献２】特開２００５−２０４００５号公報
【発明の開示】
【発明が解決しようとする課題】
【０００５】
しかしながら、特許文献１では、アンテナを利用して縦長状態の蓋側筐体の転倒を防ぐことができるものの、表示部を横長状態にすると、アンテナの伸びる方向も水平となるので、転倒を防ぐことができない。また、横長状態では、アンテナが水平状態であり、アンテナの受信機能を充分に果たすことができない。
【０００６】
また、特許文献２に示す電池カバーは、樹脂成形品の凹凸により嵌合させ、取り付けて電池パックの飛び出しを防止するものであり、度々外したり取り付けたりするものでない。すなわち、着脱の頻度が増すと、凹凸の角の磨耗により嵌合が甘くなって無線機本体にしっかりと取り付けられなくなるという問題がある。また、表示面の角度が平坦面に対して垂直であるため、カメラ撮影には適していても、ＴＶ視聴するにはユーザからは非常に見にくいものとなっていた。
【０００７】
本発明は、かかる点に鑑みてなされたものであり、その目的とするところは、本来のアンテナの役目を果たしながら、アンテナを利用して携帯端末の転倒を防止して最適な角度でＴＶ視聴を行えるようにすることにある。
【課題を解決するための手段】
【０００８】
上記目的を達成するために、本発明では、折り曲げたアンテナにより、表示部を横長状態にして携帯端末を平坦面に載置できるようにした。
【０００９】
具体的には、第１の発明では、筐体本体と、該筐体本体の外面に設けられた表示部と、該筐体本体に収納自在に設けられたアンテナとを備えた携帯端末を対象とし、
上記アンテナは、第１棒状部材と第２棒状部材及び第２棒状部材と第３棒状部材がそれぞれ折り曲げ自在に連結されると共に、該第１棒状部材が上記筐体本体に連結され、
上記アンテナを折り曲げることで、上記表示部が左右に長くなるように表面に現れた状態で、平坦面に載置可能に構成する。
【００１０】
上記の構成によると、ＴＶ視聴時に携帯端末を横長状態に載置するために別途部品を用いることなく、携帯端末が有するアンテナを折り曲げることにより、このアンテナを利用して表示部が横長状態の携帯端末が平坦面に載置される。このため、アンテナは露出された状態でＴＶ受信機能を保ちながら、横長状態で最適な角度の表示部を見ることができる。
【００１１】
第２の発明では、第１の発明において、
上記第３棒状部材が第２棒状部材に対して折れ曲がる方向は、上記第２棒状部材が第１棒状部材に対して折れ曲がる方向と該第２棒状部材の周方向に９０度ずれている。
【００１２】
上記の構成によると、第２棒状部材と第３棒状部材とで構成されたＬ字状の部分で表示部の角度が最適な状態で筐体本体が安定して支持される。
【００１３】
第３の発明では、第１又は第２の発明において、
上記アンテナは、上記筐体本体の角部に連結され、
上記第２棒状部材が、上記第１棒状部材に対して上記筐体本体の裏面側に折り曲げられ、かつ上記第３連結部材が上記第２棒状部材に対して上下方向に伸びるように折り曲げられることで、上記表示部が左右に長くなるように表面に現れた状態で、該アンテナが筐体本体を支持するように構成されている。
【００１４】
上記の構成によると、第２棒状部材が携帯端末の転倒防止機能を果たし、第３棒状部材が受信機能を果たす。
【００１５】
第４の発明では、第３の発明において、
上記筐体本体の角部には、上記アンテナが収納可能なアンテナ収納凹部が該筐体本体の長手方向へ凹陥して形成され、該アンテナ収納凹部の底部には、該アンテナが上記表示部の長手方向へ押し込まれて収納される収納孔が形成され、
上記アンテナを上記収納孔から上記表示部の長手方向へ引き出したときに、該アンテナの第３棒状部材が筐体本体よりも外側に現れ、第１及び第２棒状部材は、上記アンテナ収納凹部に収納されるように構成されている。
【００１６】
上記の構成によると、アンテナは、その未使用時には収納孔内に収納され、使用時には表示部の長手方向へ引っ張り出される。ＴＶ視聴時には、裏面側へ折り曲げられたアンテナが筐体本体の長手方向（左右方向）の端部よりも内側に入り込んだ位置で表示部の角度が最適な状態で筐体本体を裏面側から支える。このため、携帯端末を左右いずれかの端部で支えるものと比べ、安定して平坦面に載置されて転倒防止されると共に、快適にＴＶ視聴が行われる。
【００１７】
第５の発明では、第１乃至第４のいずれか１つの発明において、
上記第１棒状部材は、上記筐体本体に対して周方向に自転可能に連結されている。
【００１８】
上記の構成によると、アンテナが自由に自転されるので、ＴＶ受信時には、受信状態のよい位置にアンテナが向けられ、また、折り曲げる際にも表示部が最適な角度になるように折り曲げやすく、アンテナによって筐体本体が確実に支持される。
【００１９】
第６の発明では、第５の発明において、
上記第２棒状部材を上記第１棒状部材に対して９０度折り曲げたときに、該第１棒状部材が上記筐体本体に対して周方向に自転するのを規制する自転規制手段を設ける構成とする。
【００２０】
上記の構成によると、第１棒状部材が筐体本体に対して自由に自転可能な状態では、アンテナが安定せず、携帯端末を平坦面に安定して載置することができないが、自転規制手段により、この自転が規制されるので、表示部を最適な角度に保ったまま携帯端末が平坦面に安定して載置される。
【００２１】
第７の発明では、第６の発明において、
上記自転規制手段は、上記筐体本体の裏面上を上記表示部の幅方向にスライド自在で、かつその位置を保持可能なスライド部材である。
【００２２】
上記の構成によると、折り曲げられた第２棒状部材を、スライド部材を表示部の幅方向にスライドさせて最適な位置で保持することにより、表示部が最適な角度に保たれた状態で携帯端末が平坦面に載置される。
【００２３】
第８の発明では、第２乃至第７のいずれか１つの発明において、
上記第３棒状部材の内部には、アンテナ先端部が伸縮自在に収納されている。
【００２４】
上記の構成によると、アンテナを折り曲げてＶ受信するときに、アンテナ先端部を伸ばすことにより、受信感度が向上し、快適に視聴が行われる。
【００２５】
第９の発明では、第１乃至第８のいずれか１つの発明において、
上記筐体本体は、
上記表示部を有する第１の筺体と、
操作部を有する第２の筺体とからなり、
上記第１の筺体と第２の筺体とを折畳み自在に連結する第１の回転軸と、
上記第１の回転軸と直交し、第１の筐体を表裏反転可能に支持する第２の回転軸とを備え、
上記アンテナは、上記第２の筐体に設けられている。
【００２６】
上記の構成によると、第１の筐体を第２の回転軸を中心に表裏反転した状態で第１の回転軸を中心に折り畳むと、表示部が表面に現れた状態で横長状態で手に持って視聴することは可能となる。しかし、従来は、その状態で平坦面に載置すると、表示面が平坦面に対して垂直になるためにユーザからは非常に見にくくなり、ＴＶ視聴には適さないものとなっていた。このため、ＴＶ視聴用に特別の部品を用いて表示面の角度をユーザに見やすい状態にして平坦面に載置できるようにしていた。本発明では、別部品を用いることなくアンテナを利用して表示面を適切な角度に調整できるので、場所を選ばず、いつでも平坦面に携帯端末を載置してＴＶ視聴を楽しむことができる。
【００２７】
第１０の発明では、第１乃至第９のいずれか１つの発明の携帯端末は、携帯電話機とする。
【００２８】
上記の構成によると、別部品を用いることなく、アンテナを利用してＴＶ視聴しやすい最適な状態で平坦面に載置可能な商品性の高い携帯電話機が得られる。
【発明の効果】
【００２９】
以上説明したように、本発明によると、本来のアンテナの役目を果たしながら、アンテナを利用して携帯端末の転倒を防止し、最適な角度でＴＶ視聴を行うことができる。
【発明を実施するための最良の形態】
【００３０】
以下本発明の実施形態を図面に基づいて説明する。
【００３１】
図２に本発明の実施形態にかかる携帯端末としての携帯電話機１の開いた状態を表面側から示す。図３に携帯電話機１を閉じた状態を裏面側から示す。
【００３２】
携帯電話機１は、表面に表示部２を備えた第１の筐体３と、操作部４を備えた第２の筐体５とを備え、第１の筐体３と第２の筐体５とが、第１の回転軸６を中心に折畳み自在に連結されている。また、第１の筐体３は、第１の回転軸６と直交する第２の回転軸７によって表裏反転可能に支持されている。なお、第１の筐体３における表示部２の上側には、受話部８（スピーカ）が設けられ、第２の筐体５の操作部４の下側には、送話部９（マイク）が設けられている。操作部４には、入力ボタン４ａや機能ボタン４ｂが設けられている。第１の筐体３と第２の筐体５とが携帯電話機１の筐体本体１０を構成している。
【００３３】
上記第２の筐体５の正面から見て左上角部には、通話及びＴＶ視聴用のアンテナ１１が収納自在に設けられている。すなわち、図３に示すように、上記第２の筐体５の左上角部には、アンテナ１１が収納可能なアンテナ収納凹部２０が第２の筐体５の長手方向へ凹陥されている。このアンテナ収納凹部２０の底部には、円形の収納孔２１が形成され、この収納孔２１にアンテナ１１が表示部２（第２の筐体５）の長手方向へ押し込まれて収納可能となっている。
【００３４】
図４に示すように、このアンテナ１１は、第１棒状部材１２と第２棒状部材１３及び第２棒状部材１３と第３棒状部材１４とがそれぞれ折り曲げ自在に連結されている。すなわち、第１棒状部材１２と第２棒状部材１３とが第１ヒンジ部１５で第１棒状部材１２の軸心に垂直な方向に伸びる第１ピン１５ａを中心に折り曲げ自在となっている。また、第２棒状部材１３と第３棒状部材１４とが、第２ヒンジ部１６で第２棒状部材１３の軸心に垂直な方向に伸びる第２ピン１６ａを中心に折り曲げ自在となっている。第１ピン１５ａと第２ピン１６ａとは、アンテナ１１を真っ直ぐに伸ばしたときの軸心方向から見たときに、互いに垂直に配置されている。このことで、図５に示すように、第３棒状部材１４が第２棒状部材１３に対して折れ曲がる方向は、第２棒状部材１３が第１棒状部材１２に対して折れ曲がる方向と、第２棒状部材１３の周方向に９０度ずれている。また、第１棒状部材１２の基端には、大径の抜け止め部材１２ａが設けられ、このことで、アンテナ１１が第２の筐体５から抜け止めされると共に、第２の筐体５に対して周方向に自転可能に連結されている。
【００３５】
また、第３棒状部材１４の内部には、第３棒状部材１４よりも外径の小さい、アンテナ先端部としてのアンテナエレメント１７が伸縮自在に収納されている。このことで、良好なＴＶ視聴が可能となっている。アンテナエレメント１７の先端には、大径の保護カバー１７ａが形成され、アンテナ１１の抜き差しが容易になっている。
【００３６】
アンテナ１１を収納したときには、第１棒状部材１２、第２棒状部材１３及び第３棒状部材１４の下側は、第２の筐体５内に収納され、第３棒状部材１４の上側がアンテナ収納凹部２０に露出した状態で収納されている。また、アンテナエレメント１７の保護カバー１７ａが第２の筐体５の上端と面一になるように、アンテナ１１が第２の筐体５に収納されている。なお、アンテナ１１全体を収納孔２１内に収納させるようにしてもよい。
【００３７】
一方、保護カバー１７ａをつまんでアンテナ１１を収納孔２１から第２の筐体５の長手方向へ引き出すと、抜け止め部材１２ａが収納孔２１の周縁に引っ掛かった状態で、アンテナ１１の第３棒状部材１４のみが第２の筐体５よりも外側に現れ、第２棒状部材１３及び第３棒状部材１４は、アンテナ収納凹部２０に露出した状態で収納されるような長さに設定されている。
【００３８】
そして、アンテナ１１を完全に伸ばした状態で、図１及び図５に示すように、順次折り曲げることで、表示部２が左右に長くなるように表面に現れた状態で、平坦面３０に載置可能となっている。すなわち、第２棒状部材１３が、第１棒状部材１２に対して第２の筐体５の裏面側に折り曲げられ、かつ第３連結部材が第２棒状部材１３に対して上下方向に伸びるように折り曲げられることで、表示部２が左右に長くなるように表面に現れた横長状態で、アンテナ１１が筐体本体１０を支持するように構成されている。
【００３９】
図３に示すように、第２の筐体５の裏面側には、表示部２（第２の筐体５）の幅方向、すなわち、第１の回転軸６の伸びる方向にスライド自在な自転規制手段としてのスライド部材１８が設けられている。このスライド部材１８は、任意の位置にスライドすることができ、その位置で保持可能に構成されている。このスライド部材１８は、第２棒状部材１３を第１棒状部材１２に対して９０度折り曲げたときに、第１棒状部材１２が第２の筐体５に対して周方向に自転するのを規制するようになっている。例えば、このスライド部材１８は、第２の筐体５の裏面側に設けられた内蔵カメラ（図示せず）のカバーとすればよい。
【００４０】
−アンテナの使用方法−
次に、本実施形態にかかる携帯電話機１のアンテナ１１の使用方法について説明する。
【００４１】
図３に示すように、携帯時には、アンテナ１１は、その第１棒状部材１２、第２棒状部材１３及び第３棒状部材１４の下側が第２の筐体５内に収納され、第３棒状部材１４の上側のみがアンテナ収納凹部２０に露出した状態で収納されている。
【００４２】
通話時には、図６に示すように、第１の筐体３が第２の筐体５に対して開かれた状態でアンテナ１１が真っ直ぐに引っ張り出され、アンテナ１１の第３棒状部材１４及びアンテナエレメント１７のみが第２の筐体５よりも外側に現れ、第２棒状部材１３及び第３棒状部材１４は、アンテナ収納凹部２０に露出した状態で収納される。アンテナ１１は、抜け止め部材１２ａを中心に自由に自転されるので、縦長状態でのＴＶ受信時には、受信状態のよい位置にアンテナ１１が向けられる。
【００４３】
次いで、ＴＶ視聴時には、図３の閉じた状態から、図７に示すように、アンテナ１１を真っ直ぐに引っ張り出す。そして、第２棒状部材１３を第１棒状部材１２に対して９０°折り曲げ、アンテナ１１を自転させ、第２の筐体５の裏面側に折り曲げる。アンテナ１１は、抜け止め部材１２ａを中心に自由に自転されるので、表示部２が最適な角度になるように折り曲げやすい。
【００４４】
次いで、第３棒状部材１４を第２棒状部材１３に対して上下方向に伸びるように折り曲げる。すると、図１に示すように、携帯電話機１の上方から見てアンテナ１１がＬ字状に折り曲げられる。第１棒状部材１２が筐体本体１０に対して自由に自転可能な状態では、アンテナ１１が安定せず、携帯電話機１を平坦面３０に安定して載置することができないが、スライド部材１８をスライドさせて第２棒状部材１３に当接させることで、この自転が規制される。
【００４５】
そして、第２の筐体５のアンテナ収納凹部２０と反対側端部に第３棒状部材１４を当接させた状態でアンテナ収納凹部２０側端面を平坦面３０に載置すると、第２棒状部材１３と第３棒状部材１４とで構成されたＬ字状の部分で携帯電話機１が支持される。なお、必ずしもアンテナ収納凹部２０と反対側端部に第３棒状部材１４を当接させる必要はない。すなわち、表示部２の傾斜角度は、スライド部材１８のスライド量により調整することができる。このため、表示部２の好みの傾斜が確保されると共に、携帯電話機１の重心を第２ヒンジ部１６よりも前方とすることで、スライド部材１８に保持されたアンテナ１１により転倒が防止される。また、図８に示すように、折り曲げられたアンテナ１１が第２の筐体５の長手方向（左右方向）の端部よりも内側（右側）に入り込んだ位置で第２の筐体５がアンテナ１１により、裏面側から支えられる。このため、左右いずれかの端部で支えるものに比べ、携帯電話機１が安定して平坦面３０に載置されて転倒防止されると共に、快適にＴＶ視聴が行われる。
【００４６】
第３棒状部材１４は、アンテナ１１を折り曲げてＶ受信するときに、アンテナエレメント１７を伸ばすことにより、受信感度が向上し、快適に視聴が行われる。このように、第２棒状部材１３が携帯電話機１の転倒防止機能を果たし、第３棒状部材１４が受信機能を果たす。
【００４７】
−実施形態の効果−
したがって、本実施形態にかかる携帯電話機１によると、本来のアンテナ１１の役目を果たしながら、アンテナ１１を利用して携帯電話機１の転倒を防止して最適な角度でＴＶ視聴を行うことができる。
【００４８】
（その他の実施形態）
本発明は、上記実施形態について、以下のような構成としてもよい。
【００４９】
すなわち、上記実施形態では、携帯電話機１は、第１の筐体３及び第２の筐体５が、第１の回転軸６を中心に折畳み自在に連結されると共に、第１の筐体３が第２の回転軸７によって表裏反転可能に支持されているものとしたが、例えば、第２の筐体５を有さない、表示部２と操作部４とが１つの筐体本体１０に設けられた固定式の携帯電話機であってもよい。この場合には、１つの筐体本体の角部に同様のアンテナ１１を設け、表示部２の裏面側にアンテナ１１を折り曲げるようにすればよい。また、第１の筐体３が第２の筐体５に対してスライド移動自在に連結された携帯電話機であってもよい。この場合にも、第２の筐体５の角部にアンテナ１１を同様に設け、第２の筐体５の裏面側にアンテナ１１を折り曲げるようにすればよい。
【００５０】
また、上記実施形態では、携帯端末は、携帯電話機としたが、ＰＣ、モバイルツール、電子辞書、電卓、複写機等であってもよい。また、ＰＨＳ、ＰＤＡなどの携帯通信機器であってもよい。
【００５１】
なお、以上の実施形態は、本質的に好ましい例示であって、本発明、その適用物や用途の範囲を制限することを意図するものではない。
【産業上の利用可能性】
【００５２】
以上説明したように、本発明は、表示部及びアンテナを有し、ＴＶ受信機能を備えた携帯電話機などの携帯端末について有用である。
【図面の簡単な説明】
【００５３】
【図１】アンテナを折り曲げて携帯電話機を平坦面に載置した状態を示す側面図である。
【図２】本発明の実施形態にかかる携帯電話機を開いた状態を正面側から見た斜視図である。
【図３】携帯電話機を閉じた状態を背面側から示す斜視図である。
【図４】伸ばした状態のアンテナの正面図である。
【図５】折り曲げた状態のアンテナの斜視図である。
【図６】通話時にアンテナを伸ばした携帯電話機を正面側から見た斜視図である。
【図７】携帯電話機を閉じた状態でアンテナを伸ばした状態を背面側から示す斜視図である。
【図８】アンテナを折り曲げて携帯電話機を平坦面に載置した状態を正面側から見た斜視図である。
【符号の説明】
【００５４】
１      携帯電話機（携帯端末）
２      表示部
３      第１の筐体
５      第２の筐体
６      第１の回転軸
７      第２の回転軸
１０      筐体本体
１１      アンテナ
１２      第１棒状部材
１３      第２棒状部材
１４      第３棒状部材
１７ａ    アンテナエレメント（アンテナ先端）
１８      スライド部材
２０      アンテナ収納凹部
２１      収納孔
【図１】
2008236207.tif 000003
【図２】
2008236207.tif 000004
【図３】
2008236207.tif 000005
【図４】
2008236207.tif 000006
【図５】
2008236207.tif 000007
【図６】
2008236207.tif 000008
【図７】
2008236207.tif 000009
【図８】
2008236207.tif 000010